(57)【特許請求の範囲】
【請求項１】
無線通信端末が在圏するセルの周辺のセルに関する情報と、前記セルの配置や隣接セル数に応じた閾値情報とを送信する送信部と、
前記周辺のセルに関する情報と前記閾値情報とを受信する受信部と、
前記周辺のセルに関する情報に含まれているセル毎に、遷移先として選択されなかった回数を管理する第１の管理部と、
前記閾値情報に含まれるセル配置や隣接セル数に応じた値と、各セルの前記回数に基づいて、各セルの遷移先候補としてのランクを管理する第２の管理部と、
を備え、
前記第２の管理部は、前記ランクに基づいて遷移先のセルを選択することを特徴とする無線通信システム。
【請求項２】
在圏するセルの周辺のセルに関する情報と、前記セルの配置や隣接セル数に応じた閾値情報とを基地局から受信する受信部と、
前記周辺のセルに関する情報に含まれているセル毎に、遷移先として選択されなかった回数を管理する第１の管理部と、
前記基地局から通知される前記閾値情報に含まれるセル配置や隣接セル数に応じた値と、各セルの前記回数に基づいて、各セルの遷移先候補としてのランクを管理する第２の管理部と、
を備え、
前記第２の管理部は、前記ランクに基づいて遷移先のセルを選択することを特徴とする無線通信端末。
【請求項３】
前記受信部は、第１の閾値情報を受信し、
前記第２の管理部は、前記回数が前記第１の閾値を超えるセルを遷移先候補から除外することを特徴とする請求項２に記載の無線通信端末。
【請求項４】
前記受信部は、第２の閾値情報を受信し、
前記第２の管理部は、前記回数が前記第２の閾値を超えるセルの遷移先候補としての優先度を下げることを特徴とする請求項２または３に記載の無線通信端末。
【請求項５】
前記第１の管理部は、遷移先として選択されなかったセルの前記回数を増やすことを特徴とする請求項２〜４のいずれか一つに記載の無線通信端末。
【請求項６】
前記第１の管理部は、遷移先として選択されたセルの前記回数を初期値に戻すことを特徴とする請求項２〜５のいずれか一つに記載の無線通信端末。
【請求項７】
無線通信端末が在圏するセルの周辺のセルに関する情報と前記セルの配置や隣接セル数に応じた閾値情報とを受信し、
前記周辺のセルに関する情報に含まれているセル毎に、遷移先として選択されなかった回数を管理し、
前記閾値情報に含まれるセル配置や隣接セル数に応じた値と、各セルの前記回数に基づいて、各セルの遷移先候補としてのランクを管理し、前記ランクに基づいて遷移先のセルを選択することを特徴とする無線通信方法。
【発明の詳細な説明】
【技術分野】
【０００１】
この発明は、無線通信システム、無線通信端末及び無線通信方法に関する。
【背景技術】
【０００２】
従来、無線通信システムにおけるハンドオーバ技術に関し、無線通信端末から受信した最良品質セル報告に係るセルへのハンドオーバの可否を決定し、ハンドオーバを受け入れることができない周辺セルに関する情報を移動局へ送信する基地局がある。また、無線通信端末のセル探索技術に関し、隣接セルの信号強度を測定し、その信号強度が基準値よりも大きい隣接セルのみを探索する方法や、既知の移動経路を移動中に移動経路情報の現在位置に対応する待ち受け候補セルを対象としてセルを探索する方法がある。また、無線通信端末のセル選択技術に関し、一定時間内におけるセルリセレクション回数やセルリセレクション回数が一定値に達するまでの所要時間を閾値と比較して、移行先セルを選択する方法がある。
【先行技術文献】
【特許文献】
【０００３】
【特許文献１】特開２００９−２００６３４号公報
【特許文献２】特表２００５−５０５９８３号公報
【特許文献３】国際公開第２００８／００１４５２号
【特許文献４】特開２００７−２２８２４２号公報
【発明の概要】
【発明が解決しようとする課題】
【０００４】
しかしながら、従来のハンドオーバ技術では、通信中のハンドオーバ先となるセルを基地局が選択するため、無線通信端末が、周辺のセルの中から遷移先の候補となるセルを選択することはできない。また、従来のセル探索技術やセル選択技術では、無線通信端末の移動方向に関係なく、遷移先の候補となる確率が低いセルに対しても電波強度や通信品質の測定を行うため、セルの探索に時間がかかるという問題点や無線通信端末の消費電力が多いという問題点がある。
【０００５】
無線通信端末の消費電力を削減することができる無線通信システム、無線通信端末及び無線通信方法を提供することを目的とする。
【課題を解決するための手段】
【０００６】
この無線通信システムは、無線通信端末が在圏するセルの周辺のセルに関する情報と、前記セルの配置や隣接セル数に応じた閾値情報とを送信する送信部と、前記周辺のセルに関する情報と前記閾値情報とを受信する受信部と、前記周辺のセルに関する情報に含まれているセル毎に、遷移先として選択されなかった回数を管理する第１の管理部と、前記閾値情報に含まれるセル配置や隣接セル数に応じた値と、各セルの前記回数に基づいて、各セルの遷移先候補としてのランクを管理する第２の管理部と、を備え、前記第２の管理部は、前記ランクに基づいて遷移先のセルを選択する。
【発明の効果】
【０００７】
この無線通信システム、無線通信端末及び無線通信方法によれば、無線通信端末の消費電力を削減することができる。
【図面の簡単な説明】
【０００８】
【図１】図１は、実施例１にかかる無線通信システムを示すブロック図である。
【図２】図２は、実施例１にかかる無線通信方法を示すフローチャートである。
【図３】図３は、実施例２にかかる無線通信端末のハードウェア構成を示すブロック図である。
【図４】図４は、実施例２にかかる無線通信端末の機能的構成を示すブロック図である。
【図５】図５は、無線通信端末の移動経路の一例を示す模式図である。
【図６】図６は、実施例２にかかる測定非対象セルリストの一例を示す図表である。
【図７】図７は、実施例２にかかる測定非対象セルリストの一例を示す図表である。
【図８】図８は、実施例２にかかる測定非対象セルリストの一例を示す図表である。
【図９】図９は、実施例２にかかる無線通信端末の動作を示すフローチャートである。
【図１０】図１０は、実施例２にかかる無線通信システムにおけるセル遷移時の手順を示すシーケンスである。
【図１１】図１１は、実施例２にかかる無線通信システムにおけるセル遷移時の手順を示すシーケンスである。
【図１２】図１２は、実施例２にかかる無線通信システムにおけるセル遷移時の手順を示すシーケンスである。
【図１３】図１３は、実施例２にかかる無線通信方法におけるセル選択優先度判定処理を示すフローチャートである。
【図１４】図１４は、実施例２にかかる無線通信方法における測定非対象セルリスト更新処理を示すフローチャートである。
【図１５】図１５は、実施例２にかかる無線通信方法における測定非対象セルリスト更新処理を示すフローチャートである。
【図１６】図１６は、実施例２にかかる無線通信方法における測定非対象セル判定処理を示すフローチャートである。
【発明を実施するための形態】
【０００９】
以下に添付図面を参照して、この無線通信システム、無線通信端末及び無線通信方法の好適な実施の形態を詳細に説明する。無線通信システム、無線通信端末及び無線通信方法は、無線通信端末において、在圏するセルの周辺のセル毎に遷移先として選択されなかった回数を管理し、その回数に基づいて遷移先候補のランクを管理し、そのランクに基づいて遷移先のセルを選択するものである。以下の各実施例の説明においては、同様の構成要素には同一の符号を付して、重複する説明を省略する。
【００１０】
（実施例１）
・無線通信システムの説明
図１は、実施例１にかかる無線通信システムを示すブロック図である。図１に示すように、無線通信システムは、送信部１、受信部２、第１の管理部３及び第２の管理部４を備える。送信部１は、送信側の無線通信装置に含まれる。受信部２、第１の管理部３及び第２の管理部４は、受信側の無線通信端末に含まれる。
【００１１】
送信部１は、無線通信端末が在圏するセルの周辺のセルに関する情報を送信する。受信部２は、送信部１から送信されてきた周辺のセルに関する情報を受信する。第１の管理部３は、受信部２で受信した周辺のセルに関する情報に含まれているセル毎に、遷移先として選択されなかった回数を管理する。第２の管理部４は、各セルの遷移先として選択されなかった回数に基づいて、各セルの遷移先候補としてのランクを管理し、ランクに基づいて遷移先のセルを選択する。
【００１２】
・無線通信方法の説明
図２は、実施例１にかかる無線通信方法を示すフローチャートである。無線通信端末は、待ち受け中、または音声もしくはデータの通信中にセルの選択（セルセレクション）またはセルの選択のし直し（セルリセレクション）の処理を行う。
【００１３】
図２に示すように、無線通信端末は、セルの選択またはセルの選択のし直しの処理を開始すると、送信側の無線通信装置から送信されてきた情報を受信部２により受信し、自端末が在圏するセルの周辺のセルに関する情報を取得する（ステップＳ１）。周辺のセルに関する情報には、例えば周辺の基地局の識別子が含まれていてもよい。周辺のセルに関する情報の一例として、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ではネイバーセルリスト（ネイバーリスト）が挙げられる。そして、無線通信端末は、第１の管理部３により、周辺のセルに関する情報に含まれているセル毎に、遷移先として選択されなかった回数を管理する（ステップＳ２）。
【００１４】
また、無線通信端末は、第２の管理部４により、各セルの、遷移先として選択されなかった回数に基づいて、各セルの遷移先候補としてのランクを管理する（ステップＳ３）。そして、無線通信端末は、第２の管理部４により、各セルの遷移先候補としてのランクに基づいて遷移先のセルを選択し（ステップＳ４）、一連の処理を終了する。
【００１５】
実施例１によれば、無線通信端末は、待ち受け中またはハンドオーバの際に、例えば過去に遷移先として選択されなかった回数の多いセルを遷移先の候補から除外したり、遷移先に選択する際の優先度を下げたりすることができる。従って、無線通信端末は、遷移先となる確率の低いセルに対する電波強度や通信品質の測定を省略することができるので、セルの探索に要する時間を短縮したり、消費電力を削減することができる。
【００１６】
（実施例２）
実施例２は、実施例１にかかる無線通信システム、無線通信端末及び無線通信方法を、例えば携帯電話システムに適用したものである。携帯電話システムにおいて、受信側の無線通信端末の一例として、例えば携帯電話機が挙げられる。送信側の無線通信装置の一例として、例えば基地局が挙げられる。
【００１７】
・無線通信端末のハードウェア構成の説明
図３は、実施例２にかかる無線通信端末のハードウェア構成を示すブロック図である。図３に示すように、無線通信端末１１は、アンテナ１２、受信部の一例として例えば無線送受信処理を行うＲＦ（Ｒａｄｉｏ  Ｆｒｅｑｕｅｎｃｙ、無線周波数）チップ１３、ベースバンド処理を行うベースバンドチップ１４、及びアプリケーションを実行するアプリケーションチップ１５を備えている。ベースバンドチップ１４には、例えば入力用のキーや出力用の表示パネルなどのペリフェラル（周辺装置）１６、及びメモリ１７が接続されている。
【００１８】
・無線通信端末の機能的構成の説明
図４は、実施例２にかかる無線通信端末の機能的構成を示すブロック図である。図４に示すように、無線通信端末１１は、第１の管理部の一例として例えばカウンタ管理部２５を備えており、第２の管理部の一例として例えば測定制御部２３及び測定非対象管理部２４を備えている。また、無線通信端末１１は、タイマ制御部２１、記憶装置２２、セル選択制御部２６、セル受信強度測定部２７、ＳＩＢ（Ｓｙｓｔｅｍ  Ｉｎｆｏｒｍａｔｉｏｎ  Ｂｌｏｃｋ、システム情報ブロック）受信制御部２８及び無線通信インタフェース制御部２９を備えている。
【００１９】
測定制御部２３は、基地局との無線通信状態、例えば電波強度や通信品質などを測定する際の制御を行う。測定制御部２３は、無線通信状態の測定結果に基づいて、セルの選択またはセルの選択のし直しをする際の候補となるセルのランクを管理する。測定制御部２３は、管理しているセルに対して、セルの選択またはセルの選択のし直しをする際の基準に基づいて、セルの選択またはセルの選択のし直しを実行するか否かを判断する。
【００２０】
カウンタ管理部２５は、測定非対象セルリストを作成し、管理し、更新し、破棄する。カウンタ管理部２５は、遷移先のセルが確定した後、遷移前に自端末が在圏するセルに対する測定非対象セルリスト、及び遷移後に自端末が在圏するセルに対する測定非対象セルリストの更新及び管理を行う。
【００２１】
測定非対象セルリストには、無線通信端末１１が在圏するセルの周辺のセル毎に、過去に遷移先として選択されなかった回数が例えばカウンタによりカウントされている。無線通信端末１１は、測定非対象セルリストによって、自端末が在圏するセルの周辺のセル毎に、過去に遷移先として選択されなかった回数を知ることができる。測定非対象セルリストについては、後述する。
【００２２】
測定非対象管理部２４は、在圏するセルにおいてセルの選択またはセルの選択のし直しをするイベントが発生すると、在圏するセルに対する測定非対象セルリストに基づいて、遷移先の候補であるセルに対して、優先度を下げる判断や、無線通信状態の測定対象から除外する判断を行う。
【００２３】
セル選択制御部２６は、遷移先のセルに対するキャンプオン試行手順の全般を制御する。キャンプオン試行手順には、例えば報知情報の取得や報知情報に基づいたセルサーチなどが含まれる。
【００２４】
セル受信強度測定部２７は、測定制御部２３からの要求に基づいて、無線通信状態の測定の開始及び停止を無線通信インタフェース制御部２９に要求する。セル受信強度測定部２７は、例えば、３ＧＰＰにおけるＬ３フィルタリングやモビリティステート判定などと同様の機能を備えている。
【００２５】
ＳＩＢ受信制御部２８は、セル選択制御部２６からの要求に基づいて、報知情報の取得手順の全般を制御する。報知情報には、遷移先候補となるセルのランキングリストにおいて優先度を下げる際に用いられる閾値Ｎｌｏｗ＿ｐｒｉ、及び無線通信状態の測定を行わない対象（測定非対象）とみなす際に用いられる閾値Ｎｎｏｎ＿ｍｅａが含まれている。ＳＩＢ受信制御部２８は、報知情報から取得したＮｎｏｎ＿ｍｅａ及び閾値Ｎｌｏｗ＿ｐｒｉの各閾値をセル選択制御部２６に展開する。
【００２６】
記憶装置２２は、各機能ブロック２３〜２９で扱うデータを管理する。記憶装置２２には、各セルに対する測定非対象セルリストが記憶される。タイマ制御部２１は、各機能ブロック２３〜２９で使用されるタイマ制御機能を提供する。無線通信インタフェース制御部２９は、無線通信インタフェースを制御する。図４に示す各機能ブロック２３〜２９は、ベースバンドチップ１４において、ハードウェアによって実現されていてもよいし、プロセッサがソフトウェアを実行することにより実現されてもよい。
【００２７】
・測定非対象セルリストの一例
図５は、無線通信端末の移動経路の一例を示す模式図である。例えば図５に矢印で示すように、セルＢ２に在圏する無線通信端末１１がセルＢ２からセルＢ３へ移動し、さらにセルＢ３からセルＣ３へ移動したとする。
【００２８】
図６は、無線通信端末１１がセルＢ２に在圏しているときの測定非対象セルリストの一例である。セルＢ２には、Ａ１、Ａ２、Ａ３、Ｂ１、Ｂ３、Ｃ１、Ｃ２及びＣ３の各セルが隣接している。図６に示す例では、Ｂ２に在圏する無線通信端末１１が過去にセルＡ１を選択しなかった回数は２回である。同様に、Ａ２、Ａ３、Ｂ１、Ｂ３、Ｃ１、Ｃ２及びＣ３の各セルの過去に選択されなかった回数は、それぞれ３回、１回、３回、１回、３回、２回及び２回である。
【００２９】
セルＢ３が遷移先に確定すると、カウンタ管理部２５により、セルＢ２に対する測定非対象セルリスト３１において、セルＢ３の過去に選択されなかった回数は初期値、例えばゼロにクリアされる。また、カウンタ管理部２５により、セルＢ２に対する測定非対象セルリスト３１において、遷移先に選択されなかったＡ１、Ａ２、Ａ３、Ｂ１、Ｃ１、Ｃ２及びＣ３の各セルの過去に選択されなかった回数は、それぞれ例えば１だけカウントアップされる。
【００３０】
図７は、無線通信端末１１がセルＢ３に在圏しているときの測定非対象セルリストの一例である。セルＢ３には、Ａ２、Ａ３、Ａ４、Ｂ２、Ｂ４、Ｃ２、Ｃ３及びＣ４の各セルが隣接しており、図７に示す例では、Ｂ３に在圏する無線通信端末１１によって過去に選択されなかった回数は、それぞれ２回、２回、・・・である。セルＣ３が遷移先に確定しすると、カウンタ管理部２５により、セルＢ３に対する測定非対象セルリスト３２において、過去に選択されなかった回数は、セルＣ３については初期値にクリアされ、その他のセルについてはカウントアップされる。
【００３１】
図８は、無線通信端末１１がセルＣ３に在圏しているときの測定非対象セルリストの一例である。セルＣ３には、Ｂ２、Ｂ３、Ｂ４、Ｃ２、Ｃ４、Ｄ２、Ｄ３及びＤ４の各セルが隣接しており、図８に示す例では、Ｃ３に在圏する無線通信端末１１によって過去に選択されなかった回数は、それぞれ４回、５回、９回、・・・である。
【００３２】
ここで、無線通信端末１１は、閾値Ｎｌｏｗ＿ｐｒｉ及び閾値Ｎｎｏｎ＿ｍｅａを保持している。閾値Ｎｌｏｗ＿ｐｒｉが例えば４である場合、例えばセルＣ３に対する測定非対象セルリスト３３において、Ｂ２及びＢ３の各セルの過去に選択されなかった回数が閾値Ｎｌｏｗ＿ｐｒｉ以上である。従って、測定非対象管理部２４により、Ｂ２及びＢ３の各セルについては、遷移先候補となるセルのランキングリストで優先度が下がる。
【００３３】
また、閾値Ｎｎｏｎ＿ｍｅａが例えば９である場合、例えばセルＣ３に対する測定非対象セルリスト３３において、Ｂ４、Ｃ２及びＤ４の各セルの過去に選択されなかった回数が閾値Ｎｎｏｎ＿ｍｅａ以上である。従って、測定非対象管理部２４により、Ｂ４、Ｃ２及びＤ４の各セルは、無線通信状態の測定対象から除外される。図８に示す例では、Ｂ４、Ｃ２及びＤ４の各セルについては、無線通信状態の測定が行われず、Ｂ２及びＢ３の各セルについては、遷移先として選択される優先度が下がるので、Ｃ４、Ｄ２及びＤ３の各セルが優先的に遷移先のセルとして選択されることになる。
【００３４】
閾値Ｎｌｏｗ＿ｐｒｉ及び閾値Ｎｎｏｎ＿ｍｅａは、セル配置や隣接セル数に応じて、セル単位に特有である。閾値Ｎｌｏｗ＿ｐｒｉ及び閾値Ｎｎｏｎ＿ｍｅａは、基地局からシステム情報として各無線通信端末１１へブロードキャストされる。各セルに対する測定非対象セルリストは、当該セルが無線通信端末１１の在圏セルとなるたびに更新され、当該セルの隣接セルの過去に選択されなかった回数が蓄積されていく。なお、遷移先のセルには、無線通信端末１１の待ち受け中に遷移する先のセルが含まれていてもよいし、無線通信端末１１がハンドオーバによって遷移する先のセルが含まれていてもよい。
【００３５】
無線通信端末１１が在圏したセルに対する測定非対象セルリストが作成されていない場合、カウンタ管理部２５により、新たに当該セルに対する測定非対象セルリストが作成される。新たに作成された測定非対象セルリストにおいては、当該セルに隣接する全てのセルの過去に選択されなかった回数は初期値とされる。
【００３６】
無線通信端末１１が圏外に遷移した場合、最後に在圏していたセルに対する測定非対象セルリストにおいて、カウンタ管理部２５により、当該セルに隣接する全てのセルの過去に選択されなかった回数が初期値にクリアされてもよい。例えば図５に示す例で、セルＣ３に在圏する無線通信端末１１が圏外に遷移した場合、図８に示す測定非対象セルリストは、Ｂ２、Ｂ３、Ｂ４、Ｃ２、Ｃ４、Ｄ２、Ｄ３及びＤ４の各セルの過去に選択されなかった回数が初期値にクリアされてもよい。
【００３７】
各セルに対する測定非対象セルリストは、測定非対象セルリスト毎に、タイマ制御部２１により、最後に更新されたタイムスタンプが管理されていてもよい。そして、カウンタ管理部２５により、更新がある一定期間滞っている測定非対象セルリストは、破棄されてもよい。あるセルに対する測定非対象セルリストが破棄されるまでの間、無線通信端末１１が当該セルに再度在圏すると、保持されている測定非対象セルリストが再利用される。
【００３８】
・セルにキャンプオンしてから他のセルへ遷移するまでの無線通信端末の動作
図９は、実施例２にかかる無線通信端末の動作を示すフローチャートである。図９に示すように、無線通信端末１１は、あるセルにキャンプオンした後、それまでに在圏していたセルに対する測定非対象セルリストにおいて、新たに在圏したセルの過去に選択されなかった回数（カウンタの値）を初期値、例えばゼロにクリアする（ステップＳ１１）。
【００３９】
そして、無線通信端末１１は、新たに在圏したセルに対する測定非対象セルリストを参照する（ステップＳ１２）。無線通信端末１１は、参照した測定非対象セルリストにおいて閾値Ｎｎｏｎ＿ｍｅａを満たすセルがある場合には（ステップＳ１３：Ｙｅｓ）、閾値Ｎｎｏｎ＿ｍｅａを満たすセルを無線通信状態の測定対象から除外する（ステップＳ１４）。
【００４０】
閾値Ｎｎｏｎ＿ｍｅａを満たすセルでは、過去に遷移先に選択されなかった回数が閾値Ｎｎｏｎ＿ｍｅａ以上となっている。一方、測定非対象セルリストにおいて閾値Ｎｎｏｎ＿ｍｅａを満たすセルがない場合には（ステップＳ１３：Ｎｏ）、ステップＳ１４は省略される。そして、無線通信端末１１は、測定対象の隣接セルに対して無線通信状態を測定する（ステップＳ１５）。
【００４１】
次いで、無線通信端末１１は、自局セル（サービングセル）に対する測定非対象セルリストを参照する（ステップＳ１６）。無線通信端末１１は、参照した測定非対象セルリストにおいて閾値Ｎｌｏｗ＿ｐｒｉを満たすセルがある場合には（ステップＳ１７：Ｙｅｓ）、遷移先候補となるセルのランキングリストにおいて、閾値Ｎｌｏｗ＿ｐｒｉを満たすセルの優先度を下げる（ステップＳ１８）。
【００４２】
閾値Ｎｌｏｗ＿ｐｒｉを満たすセルでは、過去に遷移先に選択されなかった回数が閾値Ｎｌｏｗ＿ｐｒｉ以上となっている。一方、測定非対象セルリストにおいて閾値Ｎｌｏｗ＿ｐｒｉを満たすセルがない場合には（ステップＳ１７：Ｎｏ）、ステップＳ１８は省略される。そして、無線通信端末１１は、遷移先候補となるセルのランキングリストに基づいて、遷移先のセルを判定する（ステップＳ１９）。また、無線通信端末１１は、自局セルに対する測定非対象セルリストにおいて、遷移先と判定されたセル以外の隣接セルの過去に選択されなかった回数（カウンタの値）をカウントアップする（ステップＳ２０）。そして、無線通信端末１１は、ステップＳ１９で遷移先と判定したセルに遷移する。
【００４３】
・他のセルへ遷移する際のシーケンス
図１０は、実施例２にかかる無線通信システムにおけるセル遷移時の手順を示すシーケンスである。図１１は、図１０の続きを示す図であり、図１２は、図１１の続きを示す図である。ここでは、無線通信端末１１がセルＢ２にキャンプオンし、セルＢ３へ遷移する場合を例にして説明する。
【００４４】
図１０に示すように、無線通信端末１１がセルＢ２にキャンプオンした後、無線通信インタフェース制御部２９は、無線通信状態を測定し、セル受信強度測定部２７へ例えば電波強度や通信品質などを通知する（ステップＳ３１）。セル受信強度測定部２７は、セル選択制御部２６及び測定制御部２３へ、自局セルＢ２の測定結果及び自局セルＢ２に隣接するセルの測定結果を通知する（ステップＳ３２）。
【００４５】
測定制御部２３は、自局セルＢ２の測定結果及び自局セルＢ２に隣接するセルの測定結果に基づいて、測定結果ランキング処理を行う（ステップＳ３３）。測定結果ランキング処理により、遷移先の候補となるセルが例えば電波強度や通信品質の良い順にランク付け（ランキング）され、管理される。測定結果ランキング処理の一例として、例えば３ＧＰＰ（３６．３０４（ＬＴＥ：Ｌｏｎｇ  Ｔｅｒｍ  Ｅｖｏｌｕｔｉｏｎ）、２５．３０４（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）など）に準拠した制御内容の処理が挙げられる。
【００４６】
次いで、測定制御部２３は、例えば３ＧＰＰに準拠した判定内容により自局セルＢ２の電波強度の低下や通信品質の劣化、及び自局セルＢ２に隣接するセルの電波強度や通信品質の向上などを判断し、セルの選択のし直しを開始するか否か判定する。ここでは、セルの選択のし直しを開始すると判定したとして説明を続ける。つまり、セルリセレクションイベントが発生する。
【００４７】
次いで、測定制御部２３は、測定非対象管理部２４へ自局セルＢ２についてのセル選択時の優先度の問合せ要求を発行し、自局セルＢ２に隣接するセルが優先度を下げる条件を満たすか否かの問い合わせを行う（ステップＳ３５）。測定非対象管理部２４は、セル選択時の優先度の問合せ要求を受信すると、記憶装置２２から閾値リスト（閾値Ｎｌｏｗ＿ｐｒｉ、閾値Ｎｎｏｎ＿ｍｅａ）及び測定非対象セルリストを読み出し（ステップＳ３６、ステップＳ３７）、セル選択優先度の判定処理を行う（ステップＳ３４）。
【００４８】
測定非対象管理部２４は、セル選択優先度の判定処理の終了後、セル選択時の優先度の問合せ要求に対する応答を発行して測定制御部２３に優先度の低い隣接セルを通知する（ステップＳ３８）。セル選択優先度の判定処理については、後述する。
【００４９】
測定制御部２３は、セル選択時の優先度の問合せ要求に対する応答によって通知された低優先の隣接セルを、遷移先の候補となるセルのランキングにおいて優先度の低いセルとして扱う。例えば測定制御部２３は、通知された低優先の隣接セルを、管理しているランキングのリストにおいて、最下位にシフトさせてもよい。
【００５０】
そして、測定制御部２３は、管理しているランキングのリストにおいて最優先（最上位）のセルを遷移先のセルとして決定し（ステップＳ３９）、図１１に示すように、セル選択制御部２６へリセレクション発生通知を発行する（ステップＳ４０）。図１０に示す例では、遷移先のセルはＢ３のセルである。
【００５１】
セル選択制御部２６は、遷移先のセルをＢ３としたセルリセレクション発生通知を受信すると、ＳＩＢ受信制御部２８へセルＢ３の報知情報（Ｓｙｓｔｅｍ  Ｉｎｆｏｒｍａｔｉｏｎ）の受信開始を指示する（ステップＳ４１）。ＳＩＢ受信制御部２８は、セルＢ３の報知情報の受信開始指示を受信すると、無線通信インタフェース制御部２９に対して報知情報の受信制御を行う（ステップＳ４２）。
【００５２】
無線通信インタフェース制御部２９は、セルＢ３の基地局からブロードキャストされる報知情報を受信してＳＩＢ受信制御部２８へ通知する（ステップＳ４３）。セルＢ３の報知情報には、セルＢ３に対する閾値リスト（閾値Ｎｌｏｗ＿ｐｒｉ、閾値Ｎｎｏｎ＿ｍｅａ）及びセルＢ３に隣接するセルのリストが含まれている。
【００５３】
ＳＩＢ受信制御部２８は、セルＢ３の報知情報を受信すると、セル選択制御部２６へ報知情報の受信開始指示に対する応答を返す（ステップＳ４４）。セル選択制御部２６は、報知情報の受信開始指示に対する応答を受信すると、遷移先のセル（ここでは、セルＢ３）に対してキャンプオンを試行する。
【００５４】
キャンプオンの試行処理では、セル選択制御部２６は、測定制御部２３へ隣接セル情報を展開する通知を発行する（ステップＳ４５）。隣接セル情報を展開する通知には、セルＢ３の報知情報から取得した閾値（閾値Ｎｌｏｗ＿ｐｒｉ、Ｎｎｏｎ＿ｍｅａ）及びセルＢ３に隣接するセルのリストが含まれている。
【００５５】
次いで、測定制御部２３は、カウンタ管理部２５へ隣接セル情報の展開要求を発行する（ステップＳ４７）。隣接セル情報の展開要求には、新自局セルとしてセルＢ３、旧自局セルとしてセルＢ２、セルＢ３に隣接するセルのリスト、及び閾値（閾値Ｎｌｏｗ＿ｐｒｉ、Ｎｎｏｎ＿ｍｅａ）が含まれている。
【００５６】
カウンタ管理部２５は、隣接セル情報の展開要求を受信すると、測定非対象セルリストの更新処理を行う（ステップＳ４６）。測定非対象セルリストの更新処理では、記憶装置２２に記憶されている閾値リスト、旧自局セルＢ２に対する測定非対象セルリスト及び新自局セルＢ３に対する測定非対象セルリストが更新される（ステップＳ４８、ステップＳ４９、ステップＳ５０）。
【００５７】
カウンタ管理部２５は、測定非対象セルリストの更新処理の終了後、測定制御部２３へ隣接セル情報の展開要求に対する応答を発行する（ステップＳ５１）。測定非対象セルリストの更新処理については、後述する。
【００５８】
測定制御部２３が隣接セル情報の展開要求に対する応答を受け取り、無線通信端末１１がセルＢ３にキャンプオンすると、測定制御部２３は、測定非対象管理部２４へセルＢ３に対する測定非対象セルリストの取得要求を発行する（ステップＳ５３）。測定非対象管理部２４は、Ｂ３に対する測定非対象セルリストの取得要求を受信すると、記憶装置２２からＢ３に対する測定非対象セルリストを読み出し（ステップＳ５４）、測定非対象セルの判定処理を行う（ステップＳ５２）。
【００５９】
測定非対象管理部２４は、測定非対象セルの判定処理の終了後、測定制御部２３へ測定非対象セルリストの取得要求に対する応答を発行する（ステップＳ５５）。測定非対象セルリストの取得要求に対する応答には、測定非対象セルの情報が含まれている。測定非対象セルの情報には、例えば３ＧＰＰにおいて規定されている規制やＣＳＧ（Ｃｌｏｓｅｄ  Ｓｕｂｓｃｒｉｂｅｒ  Ｇｒｏｕｐ）などの他の要因によって測定非対象となるセルの情報が含まれていてもよい。測定非対象セルの判定処理については、後述する。
【００６０】
測定制御部２３は、測定非対象セルリストの取得要求に対する応答を受信すると、測定非対象セルの情報に基づいて、無線通信状態の測定を行う対象となる隣接セルを確定し、測定対象セルのリストを編集する（ステップＳ５６）。そして、測定制御部２３は、セル受信強度測定部２７へ無線通信状態の測定を指示する（ステップＳ５７）。無線通信状態の測定指示には、測定対象セルのリストが含まれている。
【００６１】
セル受信強度測定部２７は、無線通信状態の測定指示を受信すると、無線通信インタフェース制御部２９に対して各セルの無線通信状態の測定を要求し（ステップＳ５８）、無線通信状態の測定要求に対する応答を受信する（ステップＳ５９）。セル受信強度測定部２７は、測定対象セルのリストに存在する全ての測定対象セルについて無線通信状態の測定が終了するまで（ステップＳ６０：Ｎｏ）、ステップＳ５８〜ステップＳ５９を繰り返す。
【００６２】
無線通信インタフェース制御部２９は、全ての測定対象セルについて無線通信状態の測定を終了すると（ステップＳ６０：Ｙｅｓ）、セル受信強度測定部２７へ例えば電波強度や通信品質などを通知する（ステップＳ６１）。セル受信強度測定部２７は、セル選択制御部２６及び測定制御部２３へ、自局セルＢ３の測定結果及び自局セルＢ３に隣接するセルの測定結果を通知する（ステップＳ６２）。これ以降は、自局セルをセルＢ３として、ステップＳ３３以降の手順と同様である。
【００６３】
・セル選択優先度の判定処理
図１３は、実施例２にかかる無線通信方法におけるセル選択優先度判定処理を示すフローチャートである。図１３に示すように、セル選択優先度の判定処理では、測定非対象管理部２４は、セル選択時の優先度の問合せ要求を受信すると（ステップＳ７１）、記憶装置２２に記憶されている閾値リストを参照し（ステップＳ７２）、閾値Ｎｌｏｗ＿ｐｒｉを読み出す。
【００６４】
また、測定非対象管理部２４は、セル選択時の優先度の問合せ要求で入力された自局セルをキーにして、記憶装置２２に記憶されている自局セルに対する測定非対象セルリストを参照する（ステップＳ７３）。ステップＳ７２とステップＳ７３とは、何れが先であってもよい。測定非対象セルリストに含まれている隣接セルの数をｍ（ｍ：整数）とする。
【００６５】
そして、インデックス番号ｉ（ｉ：整数）が例えばゼロに初期化される（ステップＳ７４）。ステップＳ７４は、ステップＳ７３の前でもよいし、ステップＳ７２の前でもよい。次いで、測定非対象管理部２４は、測定非対象セルリストにある各隣接セルについて、過去に遷移先として選択されなかった回数（カウンタ値）と閾値Ｎｌｏｗ＿ｐｒｉとを比較する（ステップＳ７５）。
【００６６】
比較の結果、カウンタ値が閾値Ｎｌｏｗ＿ｐｒｉ以上である隣接セルについては（ステップＳ７５：Ｙｅｓ）、測定非対象管理部２４は、当該隣接セルを優先度の低い低優先セルとして検出する（ステップＳ７６）。カウンタ値が閾値Ｎｌｏｗ＿ｐｒｉよりも小さい隣接セルについては（ステップＳ７５：Ｎｏ）、ステップＳ７６は省略される。
【００６７】
そして、インデックス番号ｉがインクリメントされ（ステップＳ７７）、測定非対象セルリストにある次の隣接セルが処理の対象となる。インデックス番号ｉが測定非対象セルリストに含まれている隣接セルの数ｍに等しくなるまで（ステップＳ７８：Ｎｏ）、ステップＳ７５〜ステップＳ７８が繰り返される。
【００６８】
インデックス番号ｉが測定非対象セルリストに含まれている隣接セルの数ｍに等しくなると（ステップＳ７８：Ｙｅｓ）、測定非対象セルリストにある全ての隣接セルについて、過去に遷移先として選択されなかった回数（カウンタ値）を閾値Ｎｌｏｗ＿ｐｒｉと比較したことになる。従って、測定非対象管理部２４は、セル選択時の優先度の問合せ要求に対する応答に、ステップＳ７６で検出した全ての低優先セルを設定する。そして、測定非対象管理部２４は、セル選択時の優先度の問合せ要求に対する応答を発行し（ステップＳ７９）、一連の処理を終了する。
【００６９】
・測定非対象セルリストの更新処理
図１４は、実施例２にかかる無線通信方法における測定非対象セルリスト更新処理を示すフローチャートである。図１５は、図１４の続きを示す図である。測定非対象セルリストの更新処理では、まず、旧自局セルに対する測定非対象セルリスト内にある新自局セルの過去に遷移先として選択されなかった回数（カウンタ値）がクリアされる処理と、新自局セル以外のセルの過去に遷移先として選択されなかった回数（カウンタ値）がインクリメントされる処理とが実施されてもよい。
【００７０】
すなわち、図１４に示すように、カウンタ管理部２５は、隣接セル情報の展開要求を受信すると（ステップＳ８１）、記憶装置２２から、隣接セル情報の展開要求で入力された新自局セルＩＤ（識別子）に対する閾値リストを読み出す。そして、カウンタ管理部２５は、新自局セルＩＤに対する閾値リストを、隣接セル情報の展開要求で入力された閾値（閾値Ｎｌｏｗ＿ｐｒｉ、Ｎｎｏｎ＿ｍｅａ）で更新する（ステップＳ８２）。
【００７１】
次いで、カウンタ管理部２５は、記憶装置２２に記憶されている、隣接セル情報の展開要求で入力された旧自局セルＩＤに対する測定非対象セルリストを参照する（ステップＳ８３）。ステップＳ８２とステップＳ８３とは、何れが先であってもよい。旧自局セルＩＤに対する測定非対象セルリストに含まれている隣接セルの数をｎ（ｎ：整数）とする。
【００７２】
そして、インデックス番号ｉが例えばゼロに初期化される（ステップＳ８４）。ステップＳ８４は、ステップＳ８３の前でもよいし、ステップＳ８２の前でもよい。次いで、カウンタ管理部２５は、旧自局セルＩＤに対する測定非対象セルリストにある各隣接セルのセルＩＤと、隣接セル情報の展開要求で入力された新自局セルのセルＩＤとを比較する（ステップＳ８５）。
【００７３】
比較の結果、旧自局セルＩＤに対する測定非対象セルリストにある隣接セルのうち、新自局セルに一致した隣接セルについては（ステップＳ８５：Ｙｅｓ）、カウンタ管理部２５は、当該測定非対象セルリストにおいて当該隣接セルの過去に遷移先として選択されなかった回数（カウンタ値）を例えばゼロにクリアする（ステップＳ８６）。一方、旧自局セルＩＤに対する測定非対象セルリストにある隣接セルのうち、新自局セルに一致しない隣接セルについては（ステップＳ８５：Ｎｏ）、カウンタ管理部２５は、当該測定非対象セルリストにおいて当該隣接セルの過去に遷移先として選択されなかった回数（カウンタ値）をインクリメントする（ステップＳ８７）。
【００７４】
そして、インデックス番号ｉがインクリメントされ（ステップＳ８８）、旧自局セルＩＤに対する測定非対象セルリストにある次の隣接セルが処理の対象となる。インデックス番号ｉが、旧自局セルＩＤに対する測定非対象セルリストに含まれている隣接セルの数ｎに等しくなるまで（ステップＳ８９：Ｎｏ）、ステップＳ８５〜ステップＳ８９が繰り返される。
【００７５】
インデックス番号ｉが、旧自局セルＩＤに対する測定非対象セルリストに含まれている隣接セルの数ｎに等しくなると（ステップＳ８９：Ｙｅｓ）、旧自局セルＩＤに対する測定非対象セルリストにある全ての隣接セルを、隣接セル情報の展開要求で入力された新自局セルと比較したことになる。この後に続いて、報知情報で展開された未登録の隣接セルを新自局セルに対する測定非対象セルリストへ反映する処理が実施されてもよい。
【００７６】
すなわち、図１５に示すように、カウンタ管理部２５は、記憶装置２２に記憶されている、隣接セル情報の展開要求で入力された新自局セルＩＤに対する測定非対象セルリストを参照する（ステップＳ９０）。新自局セルＩＤに対する測定非対象セルリストに含まれている隣接セルの数をｐ（ｐ：整数）とする。
【００７７】
そして、インデックス番号ｊ（ｊ：整数）が例えばゼロに初期化され、インデックス番号ｋ（ｋ：整数）が例えばゼロに初期化される（ステップＳ９１）。次いで、カウンタ管理部２５は、隣接セル情報の展開要求で入力された隣接セルリストにある各隣接セルのセルＩＤと、新自局セルに対する測定非対象セルリストのセルＩＤとを比較する（ステップＳ９２）。
【００７８】
比較の結果、隣接セル情報の展開要求で入力された隣接セルリストにある隣接セルが、新自局セルに対する測定非対象セルリストにある隣接セルに一致しない場合（ステップＳ９２：Ｎｏ）、インデックス番号ｋがインクリメントされる（ステップＳ９３）。これによって、隣接セル情報の展開要求で入力された隣接セルリストにある隣接セルの比較対象が、新自局セルに対する測定非対象セルリストにある次の隣接セルとなる。
【００７９】
インデックス番号ｋが、新自局セルＩＤに対する測定非対象セルリストに含まれている隣接セルの数ｐに等しくなるまで（ステップＳ９４：Ｎｏ）、ステップＳ９２〜ステップＳ９４が繰り返される。インデックス番号ｋが、新自局セルＩＤに対する測定非対象セルリストに含まれている隣接セルの数ｐに等しくなると（ステップＳ９４：Ｙｅｓ）、新自局セルに対する測定非対象セルリストにある全ての隣接セルが比較対象とされたことになる。
【００８０】
従って、カウンタ管理部２５は、隣接セル情報の展開要求で入力された隣接セルリストの比較が終了した隣接セルのセルＩＤを、新自局セルに対する測定非対象セルリストに追加する。そして、カウンタ管理部２５は、測定非対象セルリストに追加した隣接セルの過去に遷移先として選択されなかった回数（カウンタ値）を例えばゼロにクリアする（ステップＳ９５）。一方、隣接セル情報の展開要求で入力された隣接セルリストにある隣接セルが、新自局セルに対する測定非対象セルリストにある隣接セルに一致する場合（ステップＳ９２：Ｙｅｓ）、ステップＳ９３〜ステップＳ９５は省略される。
【００８１】
次いで、インデックス番号ｋが例えばゼロに初期化される（ステップＳ９６）。これによって、隣接セル情報の展開要求で入力された隣接セルリストにある隣接セルの比較対象が、新自局セルに対する測定非対象セルリストにある先頭の隣接セルになる。また、インデックス番号ｊがインクリメントされる（ステップＳ９７）。これによって、隣接セル情報の展開要求で入力された隣接セルリストにある次の隣接セルが、新自局セルに対する測定非対象セルリストと比較されることになる。
【００８２】
インデックス番号ｊが、隣接セル情報の展開要求で入力された隣接セルリストに含まれている隣接セルの数に等しくなるまで（ステップＳ９８：Ｎｏ）、ステップＳ９２〜ステップＳ９８が繰り返される。インデックス番号ｊが、隣接セル情報の展開要求で入力された隣接セルリストに含まれている隣接セルの数に等しくなると（ステップＳ９８：Ｙｅｓ）、隣接セル情報の展開要求で入力された隣接セルリストにある全ての隣接セルについて、新自局セルに対する測定非対象セルリストとの比較が終了したことになる。
【００８３】
従って、カウンタ管理部２５は、隣接セル情報の展開要求に対する応答を発行し（ステップＳ９９）、一連の処理を終了する。
【００８４】
・測定非対象セルの判定処理
図１６は、実施例２にかかる無線通信方法における測定非対象セル判定処理を示すフローチャートである。図１６に示すように、測定非対象セルの判定処理では、測定非対象管理部２４は、測定非対象セルリストの取得要求を受信すると（ステップＳ１０１）、記憶装置２２に記憶されている閾値リストを参照し（ステップＳ１０２）、閾値Ｎｎｏｎ＿ｍｅａを読み出す。
【００８５】
また、測定非対象管理部２４は、測定非対象セルリストの取得要求で入力された自局セルをキーにして、記憶装置２２に記憶されている自局セルに対する測定非対象セルリストを参照する（ステップＳ１０３）。ステップＳ１０２とステップＳ１０３とは、何れが先であってもよい。測定非対象セルリストに含まれている隣接セルの数をｍ（ｍ：整数）とする。
【００８６】
そして、インデックス番号ｉ（ｉ：整数）が例えばゼロに初期化される（ステップＳ１０４）。ステップＳ１０４は、ステップＳ１０３の前でもよいし、ステップＳ１０２の前でもよい。次いで、測定非対象管理部２４は、測定非対象セルリストにある各隣接セルについて、過去に遷移先として選択されなかった回数（カウンタ値）と閾値Ｎｎｏｎ＿ｍｅａとを比較する（ステップＳ１０５）。
【００８７】
比較の結果、カウンタ値が閾値Ｎｎｏｎ＿ｍｅａ以上である隣接セルについては（ステップＳ１０５：Ｙｅｓ）、測定非対象管理部２４は、当該隣接セルを無線通信状態の測定非対象セルとして保持する（ステップＳ１０６）。カウンタ値が閾値Ｎｎｏｎ＿ｍｅａよりも小さい隣接セルについては（ステップＳ１０５：Ｎｏ）、ステップＳ１０６は省略される。
【００８８】
そして、インデックス番号ｉがインクリメントされ（ステップＳ１０７）、測定非対象セルリストにある次の隣接セルが処理の対象となる。インデックス番号ｉが測定非対象セルリストに含まれている隣接セルの数ｍに等しくなるまで（ステップＳ１０８：Ｎｏ）、ステップＳ１０５〜ステップＳ１０８が繰り返される。
【００８９】
インデックス番号ｉが測定非対象セルリストに含まれている隣接セルの数ｍに等しくなると（ステップＳ１０８：Ｙｅｓ）、測定非対象セルリストにある全ての隣接セルについて、過去に遷移先として選択されなかった回数（カウンタ値）を閾値Ｎｎｏｎ＿ｍｅａと比較したことになる。従って、測定非対象管理部２４は、測定非対象セルリストの取得要求に対する応答に、ステップＳ１０６で保持した全ての測定非対象セルの情報を設定する。そして、測定非対象管理部２４は、測定非対象セルリストの取得要求に対する応答を発行し（ステップＳ１０９）、一連の処理を終了する。
【００９０】
実施例２によれば、実施例１と同様の効果が得られる。また、無線通信端末１１のユーザ毎にセルの遷移先のリストが最適化されるので、無駄なセルの選択やセルの選択のし直しが行われるのを回避することができる。また、ユーザ毎に無線通信状態を測定する対象のセルの数が減るので、遷移先の候補となるセルのランクを管理する際のソート処理が軽減され、ソート処理時間が短縮されるので、遷移先セルの決定までに要する時間が短縮される。
【００９１】
上述した実施例１、２に関し、さらに以下の付記を開示する。
【００９２】
（付記１）無線通信端末が在圏するセルの周辺のセルに関する情報を送信する送信部と、前記周辺のセルに関する情報を受信する受信部と、前記周辺のセルに関する情報に含まれているセル毎に、遷移先として選択されなかった回数を管理する第１の管理部と、各セルの前記回数に基づいて、各セルの遷移先候補としてのランクを管理する第２の管理部と、を備え、前記第２の管理部は、前記ランクに基づいて遷移先のセルを選択することを特徴とする無線通信システム。
【００９３】
（付記２）前記送信部は、第１の閾値情報を送信し、前記受信部は、前記第１の閾値情報を受信し、前記第２の管理部は、前記回数が前記第１の閾値を超えるセルを遷移先候補から除外することを特徴とする付記１に記載の無線通信システム。
【００９４】
（付記３）前記送信部は、第２の閾値情報を送信し、前記受信部は、前記第２の閾値情報を受信し、前記第２の管理部は、前記回数が前記第２の閾値を超えるセルの遷移先候補としての優先度を下げることを特徴とする付記１または２に記載の無線通信システム。
【００９５】
（付記４）在圏するセルの周辺のセルに関する情報を受信する受信部と、前記周辺のセルに関する情報に含まれているセル毎に、遷移先として選択されなかった回数を管理する第１の管理部と、各セルの前記回数に基づいて、各セルの遷移先候補としてのランクを管理する第２の管理部と、を備え、前記第２の管理部は、前記ランクに基づいて遷移先のセルを選択することを特徴とする無線通信端末。
【００９６】
（付記５）前記受信部は、第１の閾値情報を受信し、前記第２の管理部は、前記回数が前記第１の閾値を超えるセルを遷移先候補から除外することを特徴とする付記４に記載の無線通信端末。
【００９７】
（付記６）前記受信部は、第２の閾値情報を受信し、前記第２の管理部は、前記回数が前記第２の閾値を超えるセルの遷移先候補としての優先度を下げることを特徴とする付記４または５に記載の無線通信端末。
【００９８】
（付記７）前記第１の管理部は、遷移先として選択されなかったセルの前記回数を増やすことを特徴とする付記４〜６のいずれか一つに記載の無線通信端末。
【００９９】
（付記８）前記第１の管理部は、遷移先として選択されたセルの前記回数を初期値に戻すことを特徴とする付記４〜７のいずれか一つに記載の無線通信端末。
【０１００】
（付記９）無線通信端末が在圏するセルの周辺のセルに関する情報を受信し、前記周辺のセルに関する情報に含まれているセル毎に、遷移先として選択されなかった回数を管理し、各セルの前記回数に基づいて、各セルの遷移先候補としてのランクを管理し、前記ランクに基づいて遷移先のセルを選択することを特徴とする無線通信方法。
【０１０１】
（付記１０）前記回数が第１の閾値を超えるセルを遷移先候補から除外することを特徴とする付記９に記載の無線通信方法。
【０１０２】
（付記１１）前記回数が第２の閾値を超えるセルの遷移先候補としての優先度を下げることを特徴とする付記９または１０に記載の無線通信方法。
【０１０３】
（付記１２）遷移先として選択しなかったセルの前記回数を増やすことを特徴とする付記９〜１１のいずれか一つに記載の無線通信方法。
【０１０４】
（付記１３）遷移先として選択したセルの前記回数を初期値に戻すことを特徴とする付記９〜１２のいずれか一つに記載の無線通信方法。
【符号の説明】
【０１０５】
１  送信部
２，１３  受信部
３，２５  第１の管理部
４，２３，２４  第２の管理部
１１  無線通信端末
【図１】
0005799624.tif 000002
【図２】
0005799624.tif 000003
【図３】
0005799624.tif 000004
【図４】
0005799624.tif 000005
【図５】
0005799624.tif 000006
【図６】
0005799624.tif 000007
【図７】
0005799624.tif 000008
【図８】
0005799624.tif 000009
【図９】
0005799624.tif 000010
【図１０】
0005799624.tif 000011
【図１１】
0005799624.tif 000012
【図１２】
0005799624.tif 000013
【図１３】
0005799624.tif 000014
【図１４】
0005799624.tif 000015
【図１５】
0005799624.tif 000016
【図１６】
0005799624.tif 000017